(57)【要約】      （修正有）【課題】垂直に位置する黒板、ボード等に対し、女子児童においても容易に半径を決定し、容易かつ安定した円周等図形を描くことが出来る黒板、ボード用コンパスを提供する。【解決手段】描画材取付具１を有する描画脚２と回動軸点３を有する回動軸脚４の両脚からなり、両脚を一定の半径幅に開脚後、両脚を連結する締付具６にて開脚幅を固定する際、両脚の各当接摺動面に滑り止め部材７を貼着形成する。こうすることで開脚幅の拡縮を防止し、正確な円周等ラインを描くことができる。【選択図】図１
0003187809.tif 000002
【実用新案登録請求の範囲】
【請求項１】
黒板、ボード等に円周等図形を描くコンパスに関して、コンパス本体は両脚を有し、片脚にはチョーク、マーカー等を取付ける描画材取付具（１）を有する描画脚（２）を形成し、他方の片脚には回動軸点（３）を有する回動軸脚（４）を形成し、描画脚（２）と回動軸脚（４）各々の上端部面（５）は締付具（６）を介して当接し、各々の上端部面（５）が当接摺動する面に対し各々滑り止め部材（７）を貼着形成する黒板、ボード用コンパス
【考案の詳細な説明】
【技術分野】
【０００１】  本考案は主に学習用の黒板、ボード面に対し、チョーク、マーカー等にて円周等図形を描くべく黒板、ボード用コンパスに関するものである。
【背景技術】
【０００２】  コンパスを用いて円周等図形を描く際、ほぼ垂直上に位置する黒板やボード等に描く場合と机上等の平面に描く場合では各々異なった課題が発生する。【０００３】  机上等の平面に円周等図形を描く場合は、コンパスの回動軸脚は重力と同方向の垂直下に位置させ描画脚を一定の角度に開き軸脚最上部のつまみを回動させることで描くことが出来るため、描画する者にとって容易な作業といえるかもしれない。【０００４】  しかしながら対象面が黒板やボードのように描く面が水平ではなくほぼ垂直に近い面であるならば、重力に逆らう状態で回動軸脚の軸点を対象面に押圧固定しつつ回動つまみを回動させなければならず、軸点を押圧固定する力に加え、コンパスを持ち上げる力及びコンパスの描画脚を対象面に押圧しつつ円周等図形を描く力が必要となる。【０００５】  しかも重力と反対方向へ描画する円周ラインを描く場合、重力に負けない力が必要であり、重力方向に描画する場合では加速して描くべく円周ラインから外れてしまわないよう制御する必要が生じるため、そのバランスを調整する技術も確保しなければならない。【０００６】  そこでほぼ垂直に近い黒板、ボード等の対象面に対応すべく特開２００４−２４３６０８号では、コンパスの回動軸脚の下端部に吸盤等を設け、例えば円周を描こうとする際、吸盤等にて円の中心点に吸着止し、チョーク等を有する描部脚を適宜に伸ばして円周を描くコンパスが考案されている。【０００７】  また、特開２０１０−７６４０号のごとく回動つまみを主脚部として主脚部を中心にパンタグラフ型となる描画脚と回動軸脚を備え描画脚と回動軸脚は平行、対象面に対し垂直に位置しており、主脚部、描画脚及びと回動軸脚は、互いに上部と下部２箇所他の部材を用いて連結することで、円周等図形をずれることなく描くことか出来るコンパスも考案されている。【０００８】  更に、特開２０１０−７６４０号のごとく回動つまみを主脚部として、くの字型描画脚の上部直線部と下部直線部の２箇所を主脚部に固定したことで、回動させる際の描画脚にかかる負荷を軽減することが出来る変形コンパスも考案されている。
【考案の開示】
【考案が解決しようとする課題】
【０００９】  学習等に用いる黒板、ボードは垂直に立てられて使用される場合が多く、コンパスを用いて円周等図形を描く際、コンパスの回動軸脚を黒板表面に当接させなければならないが、黒板、ボードの表面はとても滑らかに加工されており、回動軸脚の軸点が下方にずれ落ちる可能性がある。【００１０】  次に、回動軸脚の軸点を対象面に当接後、コンパスを予定の半径分開き円周等を描くことになるが、一旦決定したコンパスの開きは平面上に円周等図形を描く場合は、重力方向に均一の負荷がかかるのみで、軸点さえ確保できれば容易に描くことが可能である。【００１１】  しかしながら、対象面が黒板等の如く垂直に位置する場合、一定の開きを確保し続けなければならないが、重力に反して上方向にラインを描こうとすると描画脚自体の重みで半径が縮まる恐れが生じ、下北方向にラインを描こうとすると重力方向と合致してしまい描画脚自体の重みで開脚しやすくなり半径が広がってしまう恐れがある。【００１２】  上記の如くこのように黒板、ボード等に用いるコンパスの重要な課題として、回動軸脚の軸点がずれることなくスムースに円周等図形を描くことが出来る支点となること、描画脚と回動軸脚の間隔が広狭することなく円周等図形をスムースの描くことが可能とする２点が挙げられる。【００１３】  回動軸脚の固定化に関しては、軸点のずれの発生を防止する為、特開２００４−２４３６０８号の考案や、回動軸脚にマグレット磁石を形成することで磁力を利用して固定化を図る考案が有効な公知技術として既に存在している。【００１４】  しかしながら円周等図形を描く際、描画脚と回動軸脚の間隔が広狭してしまう課題は依然として残されたままである。【００１５】  ところで公知技術として、特開２０１０−７６４０号の如く両脚を補強すべく両脚以外の部材を用いてパンタグラフ構造を形成することで描画脚と回動軸脚の間隔の固定化を図る考案では、描画脚及び回動軸脚各々の下端部を対象面に対し垂直に立脚させている。【００１６】  しかも、描画脚と回動軸脚を架渡すべく補強部材を用いて連結させることでより強固な構造を有し、安定した円周等図形を描くことを可能としている。【００１７】  しかしながら実際に黒板、ボード等に円周等図形を描くのは女子児童も含まれるのであり、軽量で扱いやすいことが求められるが、コンパスの部材を増やすことで重量負荷がかかりかつ描く半径の決定にも手間がかかることになり、重くて扱いにくいというデメリットが生じてしまう。【００１８】  また、特開２０１０−７６４０号のごとく回動つまみを主脚部とし、くの字型描画脚の上部直線部と下部直線部の２箇所を主脚部に固定し回動させることで描画脚にかかる負荷を軽減し安定した円周等図形を描くことが可能な変形コンパスでは、描くべく半径を決定、確保するためにくの字型描画脚を斜め方向に移動させながら一定の距離を把握しなければならず、かつ締付具にて上部直線部と下部直線部の２箇所を主脚部に固定する必要があり、決して扱いやすいコンパスとは言えない。【００１９】  そこで、部材を増やさず使いやすいコンパスとするため、従来から存在する真直ぐに形成されている描画脚と回動軸脚の各先端部を締付具によって締め付けることで描く半径��を確保しようとする考案もなされているが、黒板、ボード等用のコンパスの両脚の長さは３０ｃｍ以上もあり、ツマミ部を作用点とするとチョーク等を把握して描く力点までの距離もまた３０ｃｍ以上となり、てこの原理から鑑みても締付具にかかる力は相当程度負荷されることになり、固定した開閉幅を確保することは困難となり、安定した円周等図形を描くために適したコンパスとはいえない。【００２０】  本考案のコンパスは垂直に位置する黒板、ボード等に対し、女子児童においても容易に半径を決定し、容易かつ安定した円周等図形を描ことの出来る黒板、ボード用コンパスを提供するものである。
【課題を解決するための手段】
【００２１】  上記重要課題２点に対し、本考案は半径決定後半径幅を確保しつつ安定した円周等図形を描くこと及びコンパス自体の重量負担をも軽減し、容易に作業ができることを目的としている。【００２２】  まず重量軽減のため、使用する部材としては下端部にチョーク等を確保可能なチョーク把握部を形成する描画脚と下端部に軸部を形成する回動軸脚を有し、描画脚と回動軸脚の各先端部は締付具を介して連結している。【００２３】  またツマミ部材は新たな部材として必要とせず、回動させる際の加力としては、両脚の先端付近を把握して回動させるか、片手で回動軸脚を軸固定として把握し一方の手で描画脚を把握して回動させることで円周等図形を描くことが出来る。【００２４】  即ち部材としては最低限の必要な部材しか用いないため、重量負担を軽減することが可能となる。【００２５】  次に、垂直に位置する黒板、ボード等にコンパスを用いて円周等図形を描く場合の最大の課題としては、決定した半径を確保して安定した円周等図形を描けるか否かが挙げられよう。【００２６】  本考案では、描画脚と回動軸脚の両先端部を互いに当接させ、締付具を介して連結を確保する必要があるが、コンパスの開閉は締付具を緩締することで決定される。【００２７】  ところが垂直に位置する黒板、ボードに対し安定した円周等図形を描こうとしても、上記課題の如く一定の半径幅を確保することが力学的に困難であるため、従来のコンパスでは半径幅を保つべく締付具を強く締めたり、回動軸脚の軸点や描画脚の描画点の押圧する方法を工夫する等、微調整して描画脚と回動軸脚の開閉のずれを発生させないことが必須であり、作業者にとってはかなり扱いにくい用具といえる。【００２８】  そこで本考案は、コンパスを開閉した段階、即ち当接摺動する描画脚と回動軸脚の開閉幅を決定し締付具において締めた後、開閉幅がずれることなくその幅を維持することができるよう当接する描画脚と回動軸脚の両面に滑り止めシートを貼着するが、課題克服のためのその他の部材は一切使用すること無く最低限の重量を確保するコンパスを提供するものである。
【考案の効果】
【００２９】  コンパスを用いて垂直上に位置する黒板、ボードに円周等図形を描く際の課題として、予定の円周等図形が半径幅のずれなく正確に描くこと、軽重量で把握しやすくかつ容易に作業ができることが挙げられるが、本考案はいずれもこの課題を克服している。【００３０】  コンパスの主要部材である両脚は、途中で九の字等形が複雑化することなく直線状の回動軸脚と描画脚からなり、回動の基点となるべくつまみの部材は使用せず、他の部材は回動軸脚の下端部に軸点部を形成し描画脚部の下端部にチョーク等を嵌着すべく描画材取付具を形成するのみである。【００３１】  本考案の最重要課題である両脚による開脚幅確保に関しては、描画脚と回動軸脚の各上端部を当接摺動可能とし、各当接面に滑り止め部材を貼着し、描画脚と回動軸脚の各上端部を貫通すべく締付具を締め付けることで円周等図形を描くべく半径幅を確保することが可能である。【００３２】  即ち、従前のコンパスでは描画脚と回動軸脚の各上端部面を当接し、締付具によって両脚の開脚幅を固定化することは描画脚と回動軸脚の各上端部面が一定の長さを有する両脚の回動負荷により困難であった。【００３３】  本考案では、描画脚と回動軸脚の各上端部面が当接する面に貼着した滑り止め部材の摩擦力、つまり滑り止め材面に形成されている凹凸形状が締付具に締めつけられることで互いの凹凸部が嵌着し、両脚の回動負荷に対抗できる固定化を実現することができるものである。【００３４】  上記の如く本考案では、軽量化されかつ他の部材を用いることなく作業を単純化することが出来、しかも決定したコンパス開脚幅を確保し続けることができる優れた黒板、ボード用コンパスを提供するものである。
【図面の簡単な説明】
【００３５】
【図１】  本考案の斜面図
【図２】  本考案の組立分解図
【考案を実施するための最良の形態】
【００３６】  本考案のコンパスの使用する対象面は垂直に立つ黒板、ボード等であり、円周等図形を描く場合、まず描くべき半径幅を決定すべく両脚を開脚した後、締付具にて締めることで開脚幅の拡縮を防ぎ、その後回動軸脚の軸点を対象面に垂直、地平面に平行に当接押圧させる。【００３７】  次に円周等図形を描くことになるが、半径幅が小さい場合は片手で両脚連結部付近を把握して描画脚を回動させることでて円周等図形を描くことができる。【００３８】  半径幅が大きくなる場合は片手で回動軸脚を把握して回動軸点を対象面に当接押圧し、他方の手で描画脚を把握して円周等図形を描くことが出来る。【００３９】  以上の実施形態により、目的の円周等図形を半径幅が拡縮しずれることなく容易かつ精密に描くことが可能となる。
【実施例】
【００４０】  本考案は垂直に位置する黒板、ボード等用のコンパスを提供するものであり、コンパスは開閉自在な描画脚（２）と回動軸脚（４）の両脚を形成し、描画脚（２）の下端部にはチョーク等を嵌着すべく描画材取付具（１）を有し、回動軸脚（４）の下端部には回転の中心となる回動軸点部（３）を有している。【００４１】  更に、描画脚（２）と回動軸脚（４）の各上端部面（５）においてそれぞれ当接摺動可能な両脚の各対応面となる両当接面に滑り止め部材（７）を各々貼着している。【００４２】  次に、互いの滑り止め部材（７）が当接した状態にて、締緩可能な締付具（６）によって描画脚（２）と回動軸脚（４）の各上端部面（５）を貫着連結している。【００４３】  具体的に実施例を挙げると、対象面は垂直に位置する黒板、ボード等であり、最初の作業段階として、描くべく円周等図形の半径幅を決定し、締付具（６）を締めた後、回動軸脚（４）の回動軸点（３）を黒板、ボード等の対象面に当接押圧させる。【００４４】  または、最初に回動軸脚（４）の回動軸点（５）を対象面に当接押圧させた状態で、描くべく円周等図形の半径幅を決定し締付具（６）を締める。【００４５】  この段階で描くべく円周等図形の半径幅の決定した後、必ず締付具（６）を締めることで半径幅即ち両脚の開脚幅が両脚の重量、重力等により拡縮することなく安定して確保できることになり、円周等ラインの作図する際ラインがずれる原因となる半径幅の拡縮を防止することが出来る。【００４６】  なぜならば描画脚（２）と回動軸脚（４）の各上端部面（５）においてそれぞれ当接摺動可能な両面に滑り止め部材（７）を貼着しているため、互いの滑り止め部材（７）の凹凸部分が締付具（６）によって締めつけられることで嵌着状態となり、強固な滑り止め、ずれ防止の効果をもたらすからである。【００４７】  次に描くべく円周等図形の半径が小さければ両脚の連結付近を把握しそのまま円周ラインを描くことができ、半径幅が大きければ片手で回動軸脚（４）を把握しつつ対象面に当接押圧し、他方の手で描画脚（２）を把握しつつ回動させることで正確な円周ラインを描くことができる。【００４８】  以上の如く、本考案のコンパスを用いることで、垂直に位置する黒板、ボード等の対象面に円周等図形を極めて容易に作図することが可能とし、かつ描くべく円周等図形の半径幅を拡縮することなく正確に作図することが可能な黒板、ボード用コンパスを提供するものである。
【符号の説明】
【００４９】１  描画材取付具
２  描画脚
３  回動軸点
４  回動軸脚
５  上端部面
６  締付具
７  滑り止め部材
【図１】
0003187809.tif 000003
【図２】
0003187809.tif 000004